(57)【要約】【課題】読み込み機器がない環境でも印判に刻印された内容を目視で視認でき、印判の絵柄と関連した演出を実現することで趣向を高め、印判の興趣性を高める。【解決手段】制御部２７は、撮像部２１が撮影により取得した、使用者により内容が視認可能な特定のマーカが刻印されたスタンプ印判１０の印影３０の少なくとも一部を画像認識し、この画像認識した印影３０に対応する３ＤやＡＲ等の演出画像を生成して表示部２２に表示する。【選択図】図２
2014170260.tif 000002
【特許請求の範囲】
【請求項１】
少なくとも撮像部と、表示部と、を有する携帯端末装置であって、
特定のマーカが刻印された印判の印影の少なくとも一部を前記撮像部によって画像認識し、前記画像認識した前記印影に対応する演出画像を生成して前記表示部に表示する制御部、を備え、
前記特定のマーカは、前記演出画像に関連する絵柄である携帯端末装置。
【請求項２】
請求項１において、
前記制御部は、
前記撮像部により取得された被写体の画像と、前記画像認識した前記印影に対応する演出画像とを重ね合わせて前記表示部に表示する携帯端末装置。
【請求項３】
請求項１または請求項２において、
音声出力部を更に備え、
前記制御部は、
前記画像認識した前記印影が音声による演出を指示していた場合、前記画像認識した前記印影に対応する音声を生成して前記音声出力部から出力する携帯端末装置。
【請求項４】
携帯端末装置のコンピュータによって実行され、少なくとも撮像部と、表示部と、を有する前記携帯端末装置のプログラムであって、
前記コンピュータに、
演出画像に関連する絵柄のマーカが刻印された印判の印影の少なくとも一部を前記撮像部により画像認識する処理と、
前記画像認識した前記印影に対応する前記演出画像を生成して前記表示部に表示する処理と、を実行させるプログラム。
【請求項５】
印判の印影の少なくとも一部を画像認識し、当該画像認識した前記印影に対応する演出画像を生成して表示部に表示する携帯端末装置で利用される、前記演出画像に関連する絵柄のマーカが刻印された印判。
【請求項６】
請求項５において、
前記印判は、前記携帯端末装置が有するイヤホンジャック端子に装着可能な先端部と把手部とを有するイヤホンジャックアクセサリの、前記把手部自体に設けられている印判。
【請求項７】
請求項５において、
前記印判は、前記携帯端末装置が有するイヤホンジャック端子に装着可能な先端部と把手部とを有するイヤホンジャックアクセサリの、前記把手部に設けられた開口部に装着部材を介して装着可能な印判。
【請求項８】
請求項５乃至請求項７のいずれか１項に記載の印判が、球状のカプセル容器に包含されたカプセル商品。
【請求項９】
請求項５において、
前記印判は、第１の半円球部材であり、前記第１の半円球部材の円面に前記印判の版面が形成されており、
前記第１の半円球部材と、第２の半円球部材とを組み合わせることにより、球状の容器が形成される印判。
【請求項１０】
請求項５において、
前記印判は、略円柱状に形成され、少なくとも一方の断面に前記印判の版面が形成されており、第１の略半円球部材と、第２の略半円球部材と、前記略円柱状の印判とを組み合わせることにより球状の容器が形成される印判。
【発明の詳細な説明】
【技術分野】
【０００１】
本発明は、印判の印影を画像認識して演出画像を生成する携帯端末装置、プログラム、印判、および印判を包含したカプセル商品に関する。
【背景技術】
【０００２】
携帯電話で読み取り可能な２次元ＱＲコード（登録商標）からサイトのホームページへ誘導する技術が従来から知られている。また、例えば、特許文献１には、小売店のホームページのＵＲＬ（Uniform  Resource  Locator）や連絡先のメールアドレスを製品カタログに印刷可能なスタンプ印判が紹介されている。
【０００３】
一方、人間が知覚する現実環境をコンピュータによって拡張するＡＲ（Augment  Reality）技術が知られている。例えば、特許文献２には、拡張現実画像（以下、単にＡＲ画像という）において、現実世界の様子を表す画像に合成されるオブジェクト画像を適切に変化させる技術が紹介されている。
【先行技術文献】
【特許文献】
【０００４】
【特許文献１】実用新案登録第３１４９３３３号公報
【特許文献２】特開２０１１−２０４０４７号公報
【発明の概要】
【発明が解決しようとする課題】
【０００５】
特許文献１に開示された技術によれば、製品カタログの取扱店の空白スペースに印影を印刷するためには、パソコン等の読み込み機器や、印刷するプリンタ等の出力機器等、大掛かりな機器が必要である。また、１次元バーコードや２次元バーコードのみの印影では、読み込み機器がない環境でユーザは目視で内容を把握することが困難であった。
【０００６】
一方、携帯端末の多機能化が進み、最近では、撮像機能は勿論のこと、インターネット接続を行うネットワーク通信環境を強化したスマートフォンが普及してきた。このスマートフォンとスタンプ印判の印影とを連携させることにより、消費者が購入したスタンプ印判の印影と関連した、イラスト、アニメーションＣＧ、あるいは３ＤやＡＲ画像、更にはサウンド等による演出を実現できれば有益である。この場合、消費者が購入したスタンプ印判に玩具としての付加価値を与えることができ、趣向を高めるとともにスタンプ印判自体の販売促進効果も得られるはずである。
【０００７】
本発明は上記した課題を解決するためになされたものであり、印判の興趣性を高めることができる携帯端末装置、プログラム、印判、および印判を包含したカプセル商品を提供することを目的とする。
【課題を解決するための手段】
【０００８】
本発明の携帯端末装置は、少なくとも撮像部と、表示部と、を有する携帯端末装置であって、特定のマーカが刻印された印判の印影の少なくとも一部を前記撮像部によって画像認識し、前記画像認識した前記印影に対応する演出画像を生成して前記表示部に表示する制御部、を備え、前記特定のマーカは、前記演出画像に関連する絵柄である。
【０００９】
本発明において、前記制御部は、前記撮像部により取得された被写体の画像と、前記画像認識した前記印影に対応する演出画像とを重ね合わせて前記表示部に表示することが好ましい。
【００１０】
本発明において、前記制御部は、前記画像認識された前記印影があらかじめ分割された一部を形成する場合、前記一部、あるいはその組み合わせに対応する前記演出画像を前記表示部に表示することが好ましい。
【００１１】
本発明において、音声出力部を更に備え、前記制御部は、前記画像認識した前記印影が音声による演出を指示していた場合、前記画像認識した前記印影に対応する音声を生成して前記音声出力部から出力することが好ましい。
【００１２】
本発明は、携帯端末装置のコンピュータによって実行され、少なくとも撮像部と、表示部と、を有する前記携帯端末装置のプログラムであって、前記コンピュータに、演出画像に関連する絵柄のマーカが刻印された印判の印影の少なくとも一部を前記撮像部により画像認識する処理と、前記画像認識した前記印影に対応する前記演出画像を生成して前記表示部に表示する処理と、を実行させるプログラムに関する。
【００１３】
本発明は、印判の印影の少なくとも一部を画像認識し、当該画像認識した前記印影に対応する演出画像を生成して表示部に表示する携帯端末装置で利用される、前記演出画像に関連する絵柄のマーカが刻印された印判に関する。
【００１４】
本発明において、前記印判は、前記携帯端末装置が有するイヤホンジャック端子に装着可能な先端部と把手部とを有するイヤホンジャックアクセサリの、前記把手部自体に設けられていることが好ましい。また、本発明において、前記印判は、前記携帯端末装置が有するイヤホンジャック端子に装着可能な先端部と把手部とを有するイヤホンジャックアクセサリの、前記把手部に設けられた開口部に装着部材を介して装着可能であることが好ましい。
【００１５】
本発明において、前記印判は、第１の半円球部材であり、前記第１の半円球部材の円面に前記印判の版面が形成されており、前記第１の半円球部材と、第２の半円球部材とを組み合わせることにより、球状の容器が形成されることが好ましい。また、本発明において、前記印判は、略円柱状に形成され、少なくとも一方の断面に前記印判の版面が形成されており、第１の略半円球部材と、第２の略半円球部材と、前記略円柱状の印判とを組み合わせることにより球状の容器が形成されることが好ましい。
【発明の効果】
【００１６】
本発明によれば、印判の興趣性を高めることができる携帯端末装置、プログラム、印判、および印判を包含したカプセル商品を提供することができる。
【図面の簡単な説明】
【００１７】
【図１】本発明の実施の形態に係るカプセル商品と携帯端末装置とにより実現される演出システムのイメージ図である。
【図２】本発明の実施の形態に係る携帯端末装置の内部構成を示すブロック図である。
【図３】本発明の実施の形態に係る携帯端末装置の動作を示すフローチャートである。
【図４】本発明の実施の形態に係るカプセル商品と携帯端末装置とにより実現される演出システムの変形例１を示すイメージ図である。
【図５】本発明の実施の形態に係るカプセル商品と携帯端末装置とにより実現される演出システムの変形例２を示すイメージ図である。
【図６】本発明の実施の形態に係るカプセル商品の変形例１を示す図である。
【図７】本発明の実施の形態に係るカプセル商品の変形例２を示す図である。
【発明を実施するための形態】
【００１８】
（実施形態の構成）
以下、添付図面を参照して本発明を実施するための実施の形態（以下、単に本実施形態という）について説明する。
【００１９】
図１に、本実施形態に係るカプセル商品１と携帯端末装置２０とにより実現される演出システム１００のイメージ図が示されている。
【００２０】
図１（ａ）に示すように、半透明のプラスチック製カバーで覆われたカプセル商品１の中には、朱肉が使用され、あるいはインクが浸透されたタイプのスタンプ印判１０が包含されている。そして、図１（ｂ）に示すように、そのスタンプ印判１０の版面に、キャラクタやロゴ等の使用者により内容が視認可能な印象的なアイコン、またはそれらを組み合わせたもの（以下、総称して特定のマーカという）が刻印されている。
【００２１】
そして、図１（ｃ）に示すように、スタンプ印判１０が使用者によって押印されたことにより紙面に印刷される印影３０を、スマートフォン、ゲーム機、あるいはＰＣ等の携帯端末装置２０が読み取り（例えば、写真撮影）、印影３０の形状や位置情報等から特定のマーカを認識して、文字、キャラクタ、画像、映像、音、３Ｄ、ＡＲ画像の出現による演出を行い、音声による演出、あるいはサイトリンクへの誘導を実現する。
【００２２】
なお、本実施形態における携帯端末装置２０は、撮像部２１と、表示部２２と、操作部２３と、音声出力部２４と、通信部２５と、記憶部２６と、制御部２７と、を含み構成されており、記憶部２６には、予めスタンプ印判１０が包含されたカプセル商品１の販売事業者等のサイトからダウンロードにより取得した演出画像再生用のアプリケーションプログラム（本実施形態に係るプログラム２６０）がインストールされ、記憶部２６に格納されているものとする。図１（ｃ）に示す演出例によれば、使用者は、まずダウンロードにより取得したアプリケーションプログラムを起動する。すると、表示部２２に携帯端末装置２０の撮像部２１により取得されている映像が表示されるので、使用者は表示部２２の映像を見ながら、ヒーローの絵柄の印影３０にピントを合わせる操作（以下、読取操作という）を行うことにより、戦闘ポーズをとったヒーロー２０ａが演出画像として携帯端末装置２０の表示部２２に出現する。このとき携帯端末装置２０は、読取操作を通じて得た印影３０に示される特定のマーカの少なくとも一部を画像認識し、画像認識した特定のマーカに対応する３ＤやＡＲ等の演出画像を生成して画面上に表示する。
【００２３】
本実施の形態において、携帯端末装置によって印影を認識することにより表示部に表示される演出画像は、印影の絵柄に関連する内容であるため、読み取り機器等がなくても印影を見ただけで使用者は演出画像の内容を予測することができ、好みの演出画像を出力する印判を容易に選択することができる。また印影の絵柄自体が興趣性のあるものであるため、読み取り機器等がない環境でも印影そのもので楽しむことができる。
【００２４】
なお、演出画像の出力に関しては、読取操作により取得された印影３０に含まれる特定のマーカに対応して用意された印影３０に含まれる特定のマーカに関連する演出画像のみを表示部２２に表示するものとしてもよいし、本実施の形態で示すように、読取操作により印影３０の像と同時に撮像部２１にて取得された被写体像と、印影３０に含まれる特定のマーカに関連する演出画像とを重ね合わせて表示部２２に表示してもよい。被写体像と演出画像とを重ね合わせて表示することにより、さらに興趣性を高めることができる。
【００２５】
被写体像と演出画像とを重ね合わせて表示する態様として、例えば、紙面に印刷された人物像の頭上の一部分に、人物の髪型に関する演出画像を示す特定のマーカが刻印されたスタンプ印判１０を押印し、読取操作を行った場合に、スタンプ印判１０が示す印影３０に含まれる特定のマーカに対応する演出画像と被写体像とが合成表示されるようにしてもよい。すなわち、携帯端末装置２０の表示部２２上に、被写体である人物像の画像に重ね合わせて直毛、パーマ、茶髪等により演出された被写体像（ＡＲ画像）を出現させ、人物像の髪型・髪色等を変化させることができる。この場合、人物像の頭上の一部分に印刷された印影を読み取ることにより、髪型全体が変化するような画像を表示させることが可能である。本実施の形態に示す携帯端末装置を用いることにより、紙等に印刷（押印）された印影の範囲を超えた部分を変化させて表示することができるため、従来のスタンプ遊びにはない面白さを提供することができる。
【００２６】
また、スタンプ印判１０に刻印される特定のマーカによっては、例えば、被写体であるビル街に、富士山、東京タワー、スカイツリー、ピラミッド、ビル、電車、前方後円墳、モアイ像が出現する等のＡＲ画像が出現する演出も可能である。更に、複数の印影３０を撮影し、その場合のそれぞれの印影３０の位置情報によって音程が変化してメロディを奏で、あるいは、携帯端末装置２０をスライド操作しながら印影３０を読取操作することにより、それぞれの印影３０が示す、ギター、ピアノ、ドラムといった楽器の音でメロディを奏でる、音による演出も可能である。
【００２７】
図２に本実施形態に係る携帯端末装置２０の内部構成が示されている。図２に示すように、本実施形態に係る携帯端末装置２０は、撮像部２１と、表示部２２と、操作部２３と、音声出力部２４と、通信部２５と、記憶部２６と、制御部２７と、を含み構成される。なお、イヤホンジャックアクセサリ２８は、携帯端末装置２０が通常有する３．５ｍｍイヤホンジャック端子（図示省略）に装着されるアクセサリである。このイヤホンジャックアクセサリ２８は、本実施形態に係るスタンプ印判１０を携帯端末装置２０とともに携行する場合の保管用に使用することができる。
【００２８】
撮像部２１は、ＣＣＤ(Charge  Coupled  Device)やＣＭＯＳ(Complementary  Metal  Oxide  Semiconductor)イメージセンサ等の光電変換素子と、その制御回路等により構成されるカメラである。表示部２２は、多数の画素（複数色の発光素子の組み合わせ）を縦横に配して構成される、例えばＬＣＤ（Liquid  Crystal  Display  Device）や有機ＥＬ（Electro-Luminescence）を用いて構成されており、制御部２７により生成され、記憶部２６の所定の領域（ＶＲＡＭ領域）に書き込まれたＡＲや３Ｄ等の演出画像を含む表示情報を表示する。
【００２９】
操作部２３は、例えば、電源キー、通話キー、数字キー、文字キー、方向キー（左右上下）、決定キー、発信キー、撮像キー等、各種の機能が割り当てられたキースイッチを有しており、これらのキーが操作者によって操作された場合に、その操作内容に対応する信号を発生し、これを操作者の指示として制御部２７に出力する。なお、この操作部２３は、位置情報を入力するタッチパネルで実現してもよい。この場合、タッチパネル上に上記したキースイッチ類や３ＤあるいはＡＲ等の演出画像が表示される。
【００３０】
音声出力部２４は、制御部２７により生成される効果音を含む音声を出力するスピーカである。通信部２５は、無線通信システムを捕捉し、通信ネットワークに接続される不図示の基地局との間で無線通信を行い、各種データの送受信を行う。ここで、各種データとは、音声通話時の音声データ、メール送受信時のメールデータ、Ｗｅｂ（World  Wide  Web）閲覧時のＷｅｂページデータ等である。本発明と特に関係するところでは、この通信部２５により、スタンプ印判１０の印影３０に対応した３ＤやＡＲ画像生成のために必要なデータを事業者のサイト（サーバ）からダウンロードにより取得する。このとき、通信部２５は、例えば、ＴＣＰ／ＩＰ（Transmission  Control  Protocol／Internet  Protocol）に準拠したプロトコルにしたがい不図示のサーバとの接続を行う。
【００３１】
記憶部２６には、本実施形態に係るプログラム２６０が格納されるプログラム領域の他に、作業領域と、ＶＲＡＭ（Video  RAM）領域が割当てられている。作業領域には、制御部２７により生成される３ＤやＡＲ画像、あるいはインターネット経由で取得される画像が都度格納され、ＶＲＡＭ領域には、３ＤやＡＲ画像を含む表示情報が描画される。なお、記憶部２６として、例えば、半導体記憶素子、磁気、あるいは光記憶素子が実装される。
【００３２】
制御部２７は、読取操作により撮像部２１を通じて得た、使用者により内容が視認可能な特定のマーカが刻印されたスタンプ印判１０の印影３０の少なくとも一部を画像認識し、画像認識した印影３０に対応する演出画像を生成して表示部２２に表示する機能を有する。演出画像として、例えば、文字、キャラクタ、静止画、動画、音、３Ｄ画像、ＡＲ画像等がある。
【００３３】
制御部２７は、読取操作により取得した印影３０の像と同時に取得された被写体像と、画像認識した印影３０に含まれる特定のマーカに対応する演出画像とを重ね合わせて（スーパインポーズ）表示してもよい。また、制御部２７は、画像認識された印影３０があらかじめ分割された一部を形成する場合、その一部、あるいはその組み合わせに対応する演出画像を表示部２２に表示してもよい。
【００３４】
なお、制御部２７は、演出用画像が表示部２２に表示されるタイミングで効果音を生成し、当該生成した効果音を音声出力部２４に出力してもよい。また、制御部２７は、画像認識した印影３０のデザインが音声による演出を示す場合、音声出力部２４に画像認識した印影３９に対応する音声を生成して出力してもよい。
【００３５】
このため、制御部２７が実行するプログラム２６０の構造を機能的に分解して図示すれば、図２に示すように、主制御部２７０と、画像取得部２７１と、画像認識部２７２と、演出制御部２７３と、表示制御部２７４と、を含む。
【００３６】
画像取得部２７１は、読取操作により撮像部２１を通じて取得された印影３０を含む画像を取り込んで画像認識部２７２に出力する。画像認識部２７２は、画像取得部２７１から出力された画像に含まれる印影３０に含まれる特定のマーカを画像認識して演出制御部２７３に出力する。
【００３７】
演出制御部２７３は、画像認識部２７２で画像認識された特定のマーカに対応付けて用意された３ＤやＡＲ等の演出画像を生成して表示部２２に表示する。また、演出制御部２７３は、読取操作により印影３０の像と同時に撮像部２１を通じて取得された被写体像と、画像認識した印影３０に含まれる特定のマーカに対応する演出画像とを重ね合わせて（スーパインポーズ）表示する。また、演出制御部２７３は、画像認識された印影３０の特定のマーカがあらかじめ分割された一部を形成する場合、その一部、あるいはその組み合わせに対応する演出画像を表示部２２に表示する。
【００３８】
なお、演出制御部２７３は、画像認識した印影３０の特定のマーカが音声による演出を指示している場合、音声出力部２４に画像認識した印影３０の特定のマーカに対応する音声を生成して出力する。
【００３９】
表示制御部２７４は、演出制御部２７３により生成される演出画像を記憶部２６のＶＲＡＭ領域に描画し、描画した表示情報を表示タイミングに同期して読み出して表示部２２に表示する。音声合成部２７５は、演出制御部２７３による制御の下で、演出用の音声あるいは効果音を生成して音声出力部２４へ出力する。
【００４０】
（実施形態の動作）
以下、本実施形態の携帯端末装置２０の動作について、図３のフローチャートに基づき説明する。
【００４１】
まず、携帯端末装置２０の制御部２７（主制御部２７０）は、電源が投入されると、携帯端末装置２０に本実施形態に係るプログラム２６０（専用のアプリケーションプログラム）がインストール済みか否かを判定する（ステップＳ１０１）。主制御部２７０は、記憶部２６の所定のエリアに割当てられて記憶されるインストールアプリ一覧（不図示）を参照することによりインストール有無の判定が可能である。ここで、未だインストールされていないと判定されると（ステップＳ１０１“ＮＯ”）、主制御部２７０は、その旨を示すメッセージを生成して表示部２２に表示し、消費者に対してプログラム２６０の取得を促す。消費者はこのメッセージにしたがい、専用のアプリケーションプログラムをダウンロードにより得、更に、インストールすることによって記憶部２６のプログラム領域に格納する（ステップＳ１０２）。
【００４２】
一方、ステップＳ１０１で、携帯端末装置２０にプログラム２６０が既にインストールされていると判定されると（ステップＳ１０１“ＹＥＳ”）、消費者は、そのプログラム２６０を立ち上げるための操作を実行する。そしてそのプログラム２６０が起動すると（ステップＳ１０３）、携帯端末装置２０による、スタンプ印判１０に刻印された特定のマーカの画像認識、特定のマーカの画像認識結果に基づくＡＲ等による演出画像の生成、出力が可能になる。
【００４３】
プログラム２６０が起動すると、表示部２２に撮像部２１により取得されている映像が表示されるので、使用者は、表示部２２を見ながら、例えば、図１（ｂ）に示すように、携帯電子機器の撮像部で撮像されている、スタンプ印判１０を押印することにより紙面に印刷される印影３０について読取操作を行う。すなわち、印影３０にフォーカスしてピント合わせを行ない、操作部２３の撮像キー、または表示部２２の一部領域に割り当てられている撮像ボタンをＯＮすると（ステップＳ１０４“ＹＥＳ”）、画像取得部２７１が起動される。なお、本実施形態においては、読取操作として、ピント合わせだけでなく、操作部２３の撮像キー、または表示部２２の一部領域に割り当てられている撮像ボタンをＯＮするものとしたが、印影３０にフォーカスしてピント合わせを行うだけで、画像取得部２７１が起動されるようにしても良い。画像取得部２７１は、読取操作により撮影部２１を通じて取得された印影３０を含む画像を画像認識部２７２に引渡し、画像認識部２７２は、その画像中の印影３０に含まれる特定のマーカの画像認識を行なう（ステップＳ１０５）。
【００４４】
画像認識部２７２による特定のマーカの画像認識結果は演出制御部２７３に出力される。演出制御部２７３は、画像認識部２７２から出力される画像認識の結果から、組み合わせ印影でないことを判定すると（ステップＳ１０６“Ｎｏ”）、画像認識した特定のマーカに対応付けて用意された演出画像を記憶部２６から読み出して、例えば、図１（ｃ）に示すようにＡＲ画像を演出画像として生成し、表示部２２に出力することによって再生を行う（ステップＳ１０８）。
【００４５】
一方、例えば、図４（ａ）に示すように、上、中央、下のそれぞれの部分印影３０ａ，３０ｂ，３０ｃにより印影３０が３分割され、この部分印影３０ａ，３０ｂ，３０ｃの組み合わせにより完全で最終的な印影３０を形成するものであれば、（ステップＳ１０６“Ｙｅｓ”）、演出制御部２７３は、その組み合わせを判定し（ステップＳ１０７）、上、中央、下のいずれかの部分印影（タイプ１）であれば（ステップＳ１０７“１”）、それぞれに相当する、例えば、アクション＃1付きのＡＲ画像を演出画像として再生し（ステップＳ１０９）、上・下、上・中央、あるいは中央・下の部分印影の組み合わせであれば（ステップＳ１０７“２”）、その組み合わせに相当する、例えば、アクション＃２付きのＡＲ画像を演出画像として再生する（ステップＳ１１０）。
【００４６】
そして、３分割された部分印影の全てを組み上げたタイプ３であれば（ステップＳ１０７“３”）、例えば、図４（ｂ）に示す、撮影された印影３０上に立つ、ヒーローの雄姿をアクション＃３付きのＡＲ画像として演出用に再生し、表示部２２に表示する（ステップＳ１１１）。すなわち、部分印影の組み合わせの違いで印影３０が示す特定のマーカに対応する演出画像をカスタマイズすることができる。このように組み合わせの仕方に応じて、文字、画像、映像、音声等の、演出メディアを変化させることができ、更には、これらメディアの３Ｄ効果やＡＲ効果を変化させることもできる。
【００４７】
続いて演出制御部２７３は、画像認識により得た印影３０の特定のマーカが音声による演出を示す場合（Ｓ１１２“Ｙｅｓ”）、音声合成部２７５を制御して、音声出力部２４に画像認識した印影３０の特定のマーカに対応する音声を生成して出力する（ステップＳ１１３）。このとき、単に音声を出力するのみならず、印影３０が印刷された位置によって奏でる楽器が変化し、あるいは音程が変化し、また、例えば、携帯端末装置２０を連続して印刷（押印）された印影上でスライドさせることでメロディを奏でる等の演出も可能である。
【００４８】
なお、演出制御部２７３は、ステップＳ１０８，Ｓ１０９，Ｓ１１０，Ｓ１１で演出画像が表示部２２に表示されると、音声合成部２７５を制御して効果音を生成し、生成した効果音を音声出力部２４に出力してもよい。この場合、音声出力部２４がその効果音を外界へ出力することにより、演出用画像によるヒーローの出現感を演出することができ、その結果、演出効果が高まる。最後に演出制御部２７３がプログラムの終了を検知すると（ステップＳ１１４“Ｙｅｓ”）、ステップＳ１０４の読取操作検知処理に戻る。
【００４９】
ところで、本実施形態に係るスタンプ印判１０は、図１（ｂ）に示したように版面１０ａが平面になっているものの他に、例えば、図５（ａ）に示すように、ローラタイプになっていてもよい。版面１０ａをローラタイプにすることで、大量に印影を作成することが容易になり、版面１０ａに種類が異なるマーカを複数刻印することで、例えば、図５（ｂ）（ｃ）に示すように、それぞれのマーカに応じた映像や音声、あるいは装飾による演出が可能になる。
【００５０】
ここで、スタンプ印判１０の販売形態について説明する。スタンプ印判１０は、例えば、図１（ａ）、あるいは図６（ａ）に示すように、カプセル商品（カプセル容器１）として販売することができる。ガシャポン（登録商標）を代表とするカプセルトイ１は、半透明性プラスチック製の球状のケースの中に、テレビ人気番組やゲームのキャラクタ商品等が収納された玩具である。例えば、自動販売機等において、消費者がコインを投入口に入れてハンドルを回すことにより、取り出し口からランダムに選択されたカプセル容器１が排出される。
【００５１】
例えば、図６（ａ）に示すように、カプセル容器１は、一定の方向（例えば、縦方向）に３分割され、上半分を構成する内側が空洞の略半円球部材１ａと、下半分を構成する内側が空洞の略半円球部材１ｂと、内側が空洞の略半円球部材１ａ，１ｂの間にあって、版面１０ａを除いて略半円球部材１ａ，１ｂと同じ材料で円柱状に形成されたスタンプ印判１０の本体部分と、から構成される。
【００５２】
図６（ｂ）（ｃ）に分解図として示すように、カプセル容器１には、版面１０ａとシール張り面１０ｂとを有する円柱状のスタンプ印判１０の本体の他に、印影３０をスマートフォン等の携帯端末装置２０で読取操作することによりＡＲ等の演出画像を表示することができる旨の案内が書かれたミニブック２、およびボールチェーン３が同梱される。ボールチェーン３は、セットされたラッチを解除して上半分を構成する半円球のカプセル１ａの頂部に設けられた２つの小穴に通して再度セットすることで携帯時の把手として活用できる。カプセル容器１をこのように構成し、販売することで、持ち運びはもとよりカプセル代を節約することができる。
【００５３】
なお、本実施の形態では、円柱状のスタンプ印判の一方の円形面のみに版面を設ける構成としたが、これに限られることはなく、円柱状のスタンプ印判の両方の円形面に版面を設けてもよい。これにより、一つの容器に２種類の版面を設けることができ、より興趣性の高い印判を提供することができる。
【００５４】
また、本実施の形態では、球状のカプセル容器を３分割可能な形態を説明したがこれに限られるものではない。例えば、球状のカプセル容器を２分割可能な形態とし、第１の略半円球部材の円形面に版面を形成し、第１の略半円球部材と対向する内側が空洞の第２の略半円球部材と組み合わせることにより、球状のカプセル容器を構成してもよい。なお、本実施の形態では、印面に対向する半円球部材は、内側が空洞であるものを説明したが、これに限られるものではない。ただし、内側を空洞にしたほうが、空洞部分に付属物等を収納することができ、利便性を高めることができる。
【００５５】
図７には、本実施形態に係るスタンプ印判１０をイヤホンジャックアクセサリ２８として使用する場合の構成が示されている。図７（ａ）に示すように、スタンプ印判１０は、携帯端末装置２０が有する３．５ｍｍのイヤホンジャック端子に装着可能な先端部２８ａと把手部２８ｂとからなるイヤホンジャックアクセサリ２８の、把手部２８ｂに設けられる穴２８ｃに、紐または鎖２８ｄを介して吊されるか（図７（ｂ−１））、把手部２８ｂに直接取り付ける構成になっている（図７（ｂ−２））。なお、図７（ｃ）に示すように、把手部２８ｂに設けられる穴２８ｃに、紐または鎖２８ｄなどの装着部材を介して装着可能な構成としてもよい。
【００５６】
本実施形態に係るスタンプ印判１０によれば、例えば、年賀状の一部紙面に押印して送付し、受取人がその印影３０を携帯端末装置２０にて読取操作することにより、スタンプ印判に関連した演出画像が表示される、あるいは送り手側の新年の挨拶映像が流れる等のアプリケーションを実現できる。但し、後者の場合は、予めその映像を事業者が運営するサーバに登録しておく必要がある。この場合、今までにない年賀状によるサービスを実現でき、年賀状のやり取りによるコミュニケーションを増す効果を期待できる。同時に、玩具としてのスタンプ印判１０の販売促進効果を得ることができる。
【００５７】
本実施形態に係る携帯端末装置２０によれば、制御部２７は、撮像部２１が読取操作により取得した、使用者により内容が視認可能な特定のマーカが刻印されたスタンプ印判１０の印影３０の少なくとも一部を画像認識し、この画像認識した印影３０に対応する演出画像を生成して表示部２２に表示することにより、使用者は、読み込み機器がない環境でも印影３０に刻印された内容を目視で視認可能であり、かつ、この印影３０とスマートフォン等の携帯端末装置２０とを連携させることで、スタンプ印判１０の印影の絵柄と関連した、文字、画像、映像、３Ｄ効果、ＡＲ効果による演出を実現することが可能であり趣向を高めることができる。
【００５８】
また、本実施形態に係る携帯端末装置２０によれば、制御部２７は、撮像部２１が読取操作により取得した被写体と、画像認識した印影３０に含まれる特定のマーカに関連する演出画像とを重ね合わせて表示することで、透視変換技術を必要とすることなく簡易にＡＲ画像を再生可能となる。このため、例えば、消費者が購入したスタンプ印判１０を包含したカプセル商品１と関連したＡＲ画像を再生することによって趣向を高め、玩具の販売促進効果を得ることができる。
【００５９】
また、画像認識された印影３０があらかじめ分割された一部を形成する場合、一部、あるいはその組み合わせに対応する演出画像を表示部２２に表示することで、演出内容に柔軟性、拡張性を満たせることができ、同じ印影セット内は勿論のこと、他の印影セットの分割された印影と組み合わせることで、演出に更なる変化を持たせることができる。また、画像の他に音声による演出と組み合わせることで一層演出効果を増すことができる。
【００６０】
また、本実施形態に係るスタンプ印判１０を３ＤやＡＲ等演出画像生成のためのアイテムとして使用することで、使用者は、ＰＣやプリンタ等書き込み機器がない環境にあってもスピーディにそのマーカを作成でき、このマーカ内に人気キャラクタ等印象的なアイコンを配置することで読み込み機器がない環境にあっても使用者は容易に内容を認識することができる。
【００６１】
なお、本実施形態に係る携帯端末装置２０によれば、携帯端末装置２０が生成する演出用画像として、３ＤやＡＲ画像のみ例示したが、イラスト、静止画、あるいは２次元や３次元アニメーションＣＧ等の動画であってもよい。更に、携帯端末装置２０としてスマートフォンのみを例示したが、撮影機能とインターネット接続環境をする携帯電話、ゲーム機、ＰＤＡ（Personal  Digital  Assistance）、あるいはＰＣ（Personal  Computer）であってもよい。
【００６２】
なお、本実施形態に係るプログラム２６０は、例えば、図２に示すように、携帯端末装置２０のコンピュータ（２７）によって実行され、少なくとも、撮像部２１と、表示部２２と、を有する携帯端末装置２０のプログラム２６０である。そしてそのプログラム２６０は、例えば、図３に示すように、コンピュータに、撮像部２１が読取操作により取得した、使用者により内容が視認可能な特定のマーカが刻印されたスタンプ印判１０の印影の少なくとも一部を画像認識する処理（Ｓ１０４，Ｓ１０５）と、画像認識した印影３０に対応する演出画像を生成して表示部２２に表示する処理（Ｓ１０６〜Ｓ１１３）と、を実行させる。
【００６３】
本実施形態に係るプログラム２６０によれば、制御部２７が記憶部２６に格納されたプログラム２６０を逐次読み出し実行することで、読み込み機器がない環境でもスタンプ印判１０に刻印された内容を目視で視認可能であり、かつ、印影３０とスマートフォン等の携帯端末装置２０とを連携させることで、使用者が購入したスタンプ印判１０と関連した演出を実現することで趣向を高め、玩具としてのスタンプ印判１０の販売促進効果を得ることができる。
【００６４】
以上、本発明の好ましい実施形態について詳述したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００６５】
１…カプセル商品、１０…スタンプ印判、２０…携帯端末装置、２１…撮像部、２２…表示部、２３…操作部、２４…音声出力部、２５…通信部、２６…記憶部、２７…制御部、２８…イヤホンジャックアクセサリ、３０…印影、１００…演出システム、２６０…プログラム、２７１…画像取得部、２７２…画像認識部、２７３…演出制御部、２７４…表示制御部。
【図１】
2014170260.tif 000003
【図２】
2014170260.tif 000004
【図３】
2014170260.tif 000005
【図４】
2014170260.tif 000006
【図５】
2014170260.tif 000007
【図６】
2014170260.tif 000008
【図７】
2014170260.tif 000009
【手続補正書】
【提出日】平成25年9月9日(2013.9.9)
【手続補正１】
【補正対象書類名】特許請求の範囲
【補正対象項目名】全文
【補正方法】変更
【補正の内容】
【特許請求の範囲】
【請求項１】
少なくとも撮像部と、表示部と、を有する携帯端末装置であって、
特定のマーカが刻印された印判の印影の少なくとも一部を前記撮像部によって画像認識し、前記画像認識した前記印影に対応する演出画像を生成して前記表示部に表示する制御部、を備え、
前記特定のマーカは、前記演出画像に関連し、前記演出画像の内容が予測可能な絵柄である携帯端末装置。
【請求項２】
請求項１において、
前記制御部は、
前記撮像部により取得された被写体の画像と、前記画像認識した前記印影に対応する演出画像とを重ね合わせて前記表示部に表示する携帯端末装置。
【請求項３】
請求項１または請求項２において、
音声出力部を更に備え、
前記制御部は、
前記画像認識した前記印影が音声による演出を指示していた場合、前記画像認識した前記印影に対応する音声を生成して前記音声出力部から出力する携帯端末装置。
【請求項４】
携帯端末装置のコンピュータによって実行され、少なくとも撮像部と、表示部と、を有する前記携帯端末装置のプログラムであって、
前記コンピュータに、
演出画像に関連し、前記演出画像の内容が予測可能な絵柄のマーカが刻印された印判の印影の少なくとも一部を前記撮像部により画像認識する処理と、
前記画像認識した前記印影に対応する前記演出画像を生成して前記表示部に表示する処理と、を実行させるプログラム。
【請求項５】
印判の印影の少なくとも一部を画像認識し、当該画像認識した前記印影に対応する演出画像を生成して表示部に表示する携帯端末装置で利用される印判であって、
前記演出画像に関連し、前記演出画像の内容が予測可能な絵柄のマーカが刻印された印判。
【請求項６】
請求項５において、
前記印判は、前記携帯端末装置が有するイヤホンジャック端子に装着可能な先端部と把手部とを有するイヤホンジャックアクセサリの、前記把手部自体に設けられている印判。
【請求項７】
請求項５において、
前記印判は、前記携帯端末装置が有するイヤホンジャック端子に装着可能な先端部と把手部とを有するイヤホンジャックアクセサリの、前記把手部に設けられた開口部に装着部材を介して装着可能な印判。
【請求項８】
請求項５乃至請求項７のいずれか１項に記載の印判が、球状のカプセル容器に包含されたカプセル商品。
【請求項９】
請求項５において、
前記印判は、第１の半円球部材であり、前記第１の半円球部材の円面に前記印判の版面が形成されており、
前記第１の半円球部材と、第２の半円球部材とを組み合わせることにより、球状の容器が形成される印判。
【請求項１０】
請求項５において、
前記印判は、略円柱状に形成され、少なくとも一方の断面に前記印判の版面が形成されており、第１の略半円球部材と、第２の略半円球部材と、前記略円柱状の印判とを組み合わせることにより球状の容器が形成される印判。
【手続補正２】
【補正対象書類名】明細書
【補正対象項目名】０００８
【補正方法】変更
【補正の内容】
【０００８】
本発明の携帯端末装置は、少なくとも撮像部と、表示部と、を有する携帯端末装置であって、特定のマーカが刻印された印判の印影の少なくとも一部を前記撮像部によって画像認識し、前記画像認識した前記印影に対応する演出画像を生成して前記表示部に表示する制御部、を備え、前記特定のマーカは、前記演出画像に関連し、前記演出画像の内容が予測可能な絵柄である。
【手続補正３】
【補正対象書類名】明細書
【補正対象項目名】００１２
【補正方法】変更
【補正の内容】
【００１２】
本発明は、携帯端末装置のコンピュータによって実行され、少なくとも撮像部と、表示部と、を有する前記携帯端末装置のプログラムであって、前記コンピュータに、演出画像に関連し、前記演出画像の内容が予測可能な絵柄のマーカが刻印された印判の印影の少なくとも一部を前記撮像部により画像認識する処理と、前記画像認識した前記印影に対応する前記演出画像を生成して前記表示部に表示する処理と、を実行させるプログラムに関する。
【手続補正４】
【補正対象書類名】明細書
【補正対象項目名】００１３
【補正方法】変更
【補正の内容】
【００１３】
本発明は、印判の印影の少なくとも一部を画像認識し、当該画像認識した前記印影に対応する演出画像を生成して表示部に表示する携帯端末装置で利用される印判であって、前記演出画像に関連し、前記演出画像の内容が予測可能な絵柄のマーカが刻印された印判に関する。
【手続補正書】
【提出日】平成25年12月10日(2013.12.10)
【手続補正１】
【補正対象書類名】特許請求の範囲
【補正対象項目名】全文
【補正方法】変更
【補正の内容】
【特許請求の範囲】
【請求項１】
少なくとも撮像部と、表示部と、を有する携帯端末装置であって、
特定のマーカが刻印された印判の印影の少なくとも一部を前記撮像部によって画像認識し、前記画像認識した前記印影に対応する演出画像を生成して前記表示部に表示する制御部、を備え、
前記特定のマーカは、キャラクタやロゴ等の使用者により内容が視認可能なアイコン、またはそれらを組み合わせたものであって、かつ、前記演出画像に関連し、前記演出画像の内容が予測可能な絵柄であり、
前記演出画像は前記印影と関連した、文字、キャラクタ、静止画、動画、音、３Ｄ画像、ＡＲ画像のいずれか、またはそれらを組み合わせたものである携帯端末装置。
【請求項２】
請求項１において、
前記制御部は、
前記撮像部により取得された被写体の画像と、前記画像認識した前記印影に対応する演出画像とを重ね合わせて前記表示部に表示する携帯端末装置。
【請求項３】
請求項１または請求項２において、
音声出力部を更に備え、
前記制御部は、
前記画像認識した前記印影が音声による演出を指示していた場合、前記画像認識した前記印影に対応する音声を生成して前記音声出力部から出力する携帯端末装置。
【請求項４】
携帯端末装置のコンピュータによって実行され、少なくとも撮像部と、表示部と、を有する前記携帯端末装置のプログラムであって、
前記コンピュータに、
キャラクタやロゴ等の使用者により内容が視認可能なアイコン、またはそれらを組み合わせたものであって、かつ、演出画像に関連し、前記演出画像の内容が予測可能な絵柄のマーカが刻印された印判の印影の少なくとも一部を前記撮像部により画像認識する処理と、
前記画像認識した前記印影に対応する前記演出画像を生成して前記表示部に表示する処理と、を実行させるプログラムであって、
前記演出画像は前記印影と関連した、文字、キャラクタ、静止画、動画、音、３Ｄ画像、ＡＲ画像のいずれか、またはそれらを組み合わせたものであるプログラム。
【請求項５】
印判の印影の少なくとも一部を画像認識し、当該画像認識した前記印影に対応する演出画像を生成して表示部に表示する携帯端末装置で利用される印判であって、
前記演出画像は前記印影と関連した、文字、キャラクタ、静止画、動画、音、３Ｄ画像、ＡＲ画像のいずれか、またはそれらを組み合わせたものであって、
前記印影はキャラクタやロゴ等の使用者により内容が視認可能なアイコン、またはそれらを組み合わせたものであって、かつ、前記演出画像に関連し、前記演出画像の内容が予測可能な絵柄のマーカが刻印された印判。
【請求項６】
請求項５において、
前記印判は、前記携帯端末装置が有するイヤホンジャック端子に装着可能な先端部と把手部とを有するイヤホンジャックアクセサリの、前記把手部自体に設けられている印判。
【請求項７】
請求項５において、
前記印判は、前記携帯端末装置が有するイヤホンジャック端子に装着可能な先端部と把手部とを有するイヤホンジャックアクセサリの、前記把手部に設けられた開口部に装着部材を介して装着可能な印判。
【請求項８】
請求項５乃至請求項７のいずれか１項に記載の印判が、球状のカプセル容器に包含されたカプセル商品。
【請求項９】
請求項５において、
前記印判は、第１の半円球部材であり、前記第１の半円球部材の円面に前記印判の版面が形成されており、
前記第１の半円球部材と、第２の半円球部材とを組み合わせることにより、球状の容器が形成される印判。
【請求項１０】
請求項５において、
前記印判は、略円柱状に形成され、少なくとも一方の断面に前記印判の版面が形成されており、第１の略半円球部材と、第２の略半円球部材と、前記略円柱状の印判とを組み合わせることにより球状の容器が形成される印判。
【手続補正２】
【補正対象書類名】明細書
【補正対象項目名】０００８
【補正方法】変更
【補正の内容】
【０００８】
本発明の携帯端末装置は、少なくとも撮像部と、表示部と、を有する携帯端末装置であって、特定のマーカが刻印された印判の印影の少なくとも一部を前記撮像部によって画像認識し、前記画像認識した前記印影に対応する演出画像を生成して前記表示部に表示する制御部、を備え、前記特定のマーカは、前記演出画像に関連し、前記演出画像の内容が予測可能な絵柄である。または、本発明の携帯端末装置は、少なくとも撮像部と、表示部と、を有する携帯端末装置であって、特定のマーカが刻印された印判の印影の少なくとも一部を前記撮像部によって画像認識し、前記画像認識した前記印影に対応する演出画像を生成して前記表示部に表示する制御部、を備え、前記特定のマーカは、キャラクタやロゴ等の使用者により内容が視認可能なアイコン、またはそれらを組み合わせたものであって、かつ、前記演出画像に関連し、前記演出画像の内容が予測可能な絵柄であり、前記演出画像は前記印影と関連した、文字、キャラクタ、静止画、動画、音、３Ｄ画像、ＡＲ画像のいずれか、またはそれらを組み合わせたものである。
【手続補正３】
【補正対象書類名】明細書
【補正対象項目名】００１２
【補正方法】変更
【補正の内容】
【００１２】
本発明は、携帯端末装置のコンピュータによって実行され、少なくとも撮像部と、表示部と、を有する前記携帯端末装置のプログラムであって、前記コンピュータに、演出画像に関連し、前記演出画像の内容が予測可能な絵柄のマーカが刻印された印判の印影の少なくとも一部を前記撮像部により画像認識する処理と、前記画像認識した前記印影に対応する前記演出画像を生成して前記表示部に表示する処理と、を実行させるプログラムに関する。または、本発明は、携帯端末装置のコンピュータによって実行され、少なくとも撮像部と、表示部と、を有する前記携帯端末装置のプログラムであって、  前記コンピュータに、  キャラクタやロゴ等の使用者により内容が視認可能なアイコン、またはそれらを組み合わせたものであって、かつ、演出画像に関連し、前記演出画像の内容が予測可能な絵柄のマーカが刻印された印判の印影の少なくとも一部を前記撮像部により画像認識する処理と、  前記画像認識した前記印影に対応する前記演出画像を生成して前記表示部に表示する処理と、を実行させるプログラムであって、前記演出画像は前記印影と関連した、文字、キャラクタ、静止画、動画、音、３Ｄ画像、ＡＲ画像のいずれか、またはそれらを組み合わせたものであるプログラムに関する。
【手続補正４】
【補正対象書類名】明細書
【補正対象項目名】００１３
【補正方法】変更
【補正の内容】
【００１３】
本発明は、印判の印影の少なくとも一部を画像認識し、当該画像認識した前記印影に対応する演出画像を生成して表示部に表示する携帯端末装置で利用される印判であって、前記演出画像に関連し、前記演出画像の内容が予測可能な絵柄のマーカが刻印された印判に関する。または、本発明は、印判の印影の少なくとも一部を画像認識し、当該画像認識した前記印影に対応する演出画像を生成して表示部に表示する携帯端末装置で利用される印判であって、前記演出画像は前記印影と関連した、文字、キャラクタ、静止画、動画、音、３Ｄ画像、ＡＲ画像のいずれか、またはそれらを組み合わせたものであって、前記印影はキャラクタやロゴ等の使用者により内容が視認可能なアイコン、またはそれらを組み合わせたものであって、かつ、前記演出画像に関連し、前記演出画像の内容が予測可能な絵柄のマーカが刻印された印判に関する。